(57)【要約】  送信装置と受信装置との間で無線通信を行う無線通信システムにおいて、前記送信装置は、送信データの系列を繰り返すことで前記送信データの系列長を拡大する拡大部と、拡大された前記送信データに含まれる各成分の位置関係を維持したまま、前記各成分を各サブキャリアに配置し、前記サブキャリアが送信に利用されないサブキャリアのとき、当該サブキャリアに配置する前記送信データの成分をパンクチャする第１のサブキャリア配置部と、前記サブキャリアに配置された前記送信データを前記受信装置に送信する送信部とを備え、前記受信装置は、前記送信データを受信する受信部を備える。
2010116397.tif 000002
【特許請求の範囲】
【請求項１】
送信装置と受信装置との間で無線通信を行う無線通信システムにおいて、
前記送信装置は、
送信データの系列を繰り返すことで前記送信データの系列長を拡大する拡大部と、
拡大された前記送信データに含まれる各成分の位置関係を維持したまま、前記各成分を各サブキャリアに配置し、前記サブキャリアが送信に利用されないサブキャリアのとき、当該サブキャリアに配置する前記送信データの成分をパンクチャする第１のサブキャリア配置部と、
前記サブキャリアに配置された前記送信データを前記受信装置に送信する送信部とを備え、
前記受信装置は、
前記送信データを受信する受信部を備えることを特徴とする無線通信システム。
【請求項２】
前記送信装置は、さらに、繰り返し拡大して前記サブキャリアに配置された前記送信データの成分を、前記パンクチャされた送信データの成分に置換して前記サブキャリアに配置するサブキャリア置換部を備えることを特徴とする請求項１記載の無線通信システム。
【請求項３】
前記送信装置は、さらに、
第１の通信方式に基づいて前記送信データを前記サブキャリアに配置する第２のサブキャリア配置部と、
送信に利用される前記サブキャリアと送信に利用されない前記サブキャリアの夫々の数に基づいて、前記第１または第２のサブキャリア配置部からの出力を選択して出力する選択部とを備えることを特徴とする請求項１記載の無線通信システム。
【請求項４】
前記選択部は、送信に利用される前記サブキャリアと送信に利用されない前記サブキャリアの夫々の数の比と閾値とを比較結果に基づいて、前記第１または第２のサブキャリア配置部からの出力を選択して出力することを特徴とする請求項３記載の無線通信システム。
【請求項５】
送信装置と受信装置との間で無線通信を行う無線通信システムにおいて、
前記送信装置は、
前記送信装置に割り当てられたサブキャリア数と等しいサイズで、送信データを周波数領域の送信データに変換する変換部と、
前記周波数領域に変換された前記送信データに含まれる各成分の位置関係を維持したまま、前記各成分を各サブキャリアに配置し、前記サブキャリアが送信に利用されないサブキャリアのとき、当該サブキャリアに配置する前記送信データの成分をパンクチャする第１のサブキャリア配置部と、
前記サブキャリアに配置された前記送信データを時間領域の送信データに変換後、当該送信データを前記受信装置に送信する送信部とを備え、
前記受信装置は、
前記送信データを受信する受信部を備えることを特徴とする無線通信システム。
【請求項６】
前記送信装置は、さらに、繰り返し拡大して前記サブキャリアに配置された前記送信データの成分を、前記パンクチャされた送信データの成分に置換して前記サブキャリアに配置するサブキャリア置換部を備えることを特徴とする請求項５記載の無線通信システム。
【請求項７】
前記送信装置は、さらに、
第１の通信方式に基づいて前記送信データを前記サブキャリアに配置する第２のサブキャリア配置部と、
送信に利用される前記サブキャリアと送信に利用されない前記サブキャリアの夫々の数に基づいて、前記第１または第２のサブキャリア配置部からの出力を選択して出力する選択部とを備えることを特徴とする請求項５記載の無線通信システム。
【請求項８】
前記選択部は、送信に利用される前記サブキャリアと送信に利用されない前記サブキャリアの夫々の数の比と閾値とを比較結果に基づいて、前記第１または第２のサブキャリア配置部からの出力を選択して出力することを特徴とする請求項７記載の無線通信システム。
【請求項９】
受信装置との間で無線通信を行う送信装置において、
送信データの系列を繰り返すことで前記送信データの系列長を拡大する拡大部と、
拡大された前記送信データに含まれる各成分の位置関係を維持したまま、前記各成分を各サブキャリアに配置し、前記サブキャリアが送信に利用されないサブキャリアのとき、当該サブキャリアに配置する前記送信データの成分をパンクチャする第１のサブキャリア配置部と、
前記サブキャリアに配置された前記送信データを前記受信装置に送信する送信部と
を備えることを特徴とする送信装置。
【請求項１０】
受信装置との間で無線通信を行う送信装置において、
前記送信装置に割り当てられたサブキャリア数と等しいサイズで、送信データを周波数領域の送信データに変換する変換部と、
前記周波数領域に変換された前記送信データに含まれる各成分の位置関係を維持したまま、前記各成分を各サブキャリアに配置し、前記サブキャリアが送信に利用されないサブキャリアのとき、当該サブキャリアに配置する前記送信データの成分をパンクチャする第１のサブキャリア配置部と、
前記サブキャリアに配置された前記送信データを時間領域の送信データに変換後、当該送信データを前記受信装置に送信する送信部と
を備えることを特徴とする送信装置。
【請求項１１】
送信装置との間で無線通信を行う受信装置において、
送信データの系列を繰り返すことで前記送信データの系列長が拡大されて、拡大された前記送信データに含まれる各成分の位置関係が維持されたまま、前記各成分が各サブキャリアに配置され、前記サブキャリアが送信に利用されないサブキャリアのとき、当該サブキャリアに配置される前記送信データの成分がパンクチャされ、前記サブキャリアに配置された前記送信データを受信する受信部
を備えることを特徴とする受信装置。
【請求項１２】
送信装置との間で無線通信を行う受信装置において、
前記送信装置に割り当てられたサブキャリア数と等しいサイズで、送信データが周波数領域の送信データに変換され、前記周波数領域に変換された前記送信データに含まれる各成分の位置関係を維持したまま、前記各成分が各サブキャリアに配置され、前記サブキャリアが送信に利用されないサブキャリアのとき、当該サブキャリアに配置された前記送信データの成分がパンクチャされて、前記サブキャリアに配置された前記送信データが時間領域の送信データに変換された後の当該送信データを受信する受信部
を備えることを特徴とする受信装置。
【請求項１３】
送信装置と受信装置との間で無線通信を行う無線通信システムにおける無線通信方法であって、
前記送信装置は、
送信データの系列を繰り返すことで前記送信データの系列長を拡大し、
拡大された前記送信データに含まれる各成分の位置関係を維持したまま、前記各成分を各サブキャリアに配置し、前記サブキャリアが送信に利用されないサブキャリアのとき、当該サブキャリアに配置する前記送信データの成分をパンクチャし、
前記サブキャリアに配置された前記送信データを前記受信装置に送信し、
前記受信装置は、
前記送信データを受信することを特徴とする無線通信方法。
【請求項１４】
送信装置と受信装置との間で無線通信を行う無線通信システムにおける無線通信方法であって、
前記送信装置は、
前記送信装置に割り当てられたサブキャリア数と等しいサイズで、送信データを周波数領域の送信データに変換し、
前記周波数領域に変換された前記送信データに含まれる各成分の位置関係を維持したまま、前記各成分を各サブキャリアに配置し、前記サブキャリアが送信に利用されないサブキャリアのとき、当該サブキャリアに配置する前記送信データの成分をパンクチャし、
前記サブキャリアに配置された前記送信データを時間領域の送信データに変換後、当該送信データを前記受信装置に送信し、
前記受信装置は、
前記送信データを受信することを特徴とする無線通信方法。
【発明の詳細な説明】
【技術分野】
【０００１】
本発明は、無線通信システム、送信装置、受信装置、及び無線通信システムにおける無線通信方法に関する。
【背景技術】
【０００２】
３ＧＰＰ  ＬＴＥ（3rd Generation Partnership Project Long
Term Evolution）において、アップリンク方向はＳＣ‐ＦＤＭＡ（Single Carrier-Frequency Division
Multiples Access）が用いられる（たとえば、以下の非特許文献１）。ＳＣ‐ＦＤＭＡは、ＯＦＤＭなどのマルチキャリアの通信方式と比較して、ピーク対平均電力比（ＰＡＰＲ：Peak
to Average Power Ratio）が低い。そのため、ＳＣ‐ＦＤＭＡによる通信方式は、マルチキャリアによる通信方式と比較して、端末装置の送信アンプの低コスト、低消費電力を実現することができる。【０００３】
また、Ｃｌｕｓｔｅｒｅｄ  ＳＣ‐ＦＤＭＡと呼ばれる技術も提案されている（例えば、以下の非特許文献２）。Ｃｌｕｓｔｅｒｅｄ  ＳＣ‐ＦＤＭＡでは、例えば、ＤＦＴ後のデータ系列が複数のクラスタに分割され、分割された系列が各サブキャリア群に配置される。図２２（Ａ）〜同図（Ｃ）は、Ｃｌｕｓｔｅｒｅｄ  ＳＣ‐ＦＤＭＡによるサブキャリア配置例を示す図である。これらの図に示す例は、１２個のサブキャリアのうち、「ｂ０」〜「ｂ７」までがクラスタ１、「ｂ８」〜「ｂ１１」までがクラスタ２に配置される例である。Ｃｌｕｓｔｅｒｅｄ  ＳＣ‐ＦＤＭＡは、複数の不連続なサブキャリア群を用いて通信を行うことができるため、例えばＬＴＥ‐Ａ（LTE-Advanced）など、ＬＴＥと比較して広い伝送帯域を利用して通信が行われる場合には有効である。
【非特許文献１】3GPP TS36.211 V8.3.0
【非特許文献２】3GPP R1-082945, "Uplink multipleaccess schemes for LTE-A", LG Electronics
【発明の開示】
【発明が解決しようとする課題】
【０００４】
しかし、Ｃｌｕｓｔｅｒｅｄ  ＳＣ‐ＦＤＭＡにおいて、ＤＦＴ後のデータ系列のうち、一部の成分（例えば、図２２（Ｃ）の例では、「ｂ８」〜「ｂ１１」）が、クラスタ分割前の状態と異なるサブキャリアに配置される。かかるサブキャリア配置で時間領域の信号に変換すると、変換後はクラスタ分割前の状態に戻らず、その送信波形はマルチキャリア伝送のように変化する。【０００５】
マルチキャリア伝送では、複数の独立なデータを伝送する波形が重ね合った送信信号波形となっており、一定振幅の波形を補間した送信信号波形となっているシングルキャリア伝送と比較して、ＰＡＰＲが大きい。【０００６】
従って、Ｃｌｕｓｔｅｒｅｄ  ＳＣ‐ＦＤＭＡは、ＳＣ‐ＦＤＭＡなどのシングルキャリア伝送と比較してＰＡＰＲ特性が劣化する。【０００７】
そこで、本発明の目的の一つは、ＰＡＰＲ特性を向上させるようにした無線通信システム、送信装置、受信装置、及び無線通信システムにおける無線通信方法を提供することにある。
【課題を解決するための手段】
【０００８】
一態様によれば、送信装置と受信装置との間で無線通信を行う無線通信システムにおいて、前記送信装置は、送信データの系列を繰り返すことで前記送信データの系列長を拡大する拡大部と、拡大された前記送信データに含まれる各成分の位置関係を維持したまま、前記各成分を各サブキャリアに配置し、前記サブキャリアが送信に利用されないサブキャリアのとき、当該サブキャリアに配置する前記送信データの成分をパンクチャする第１のサブキャリア配置部と、前記サブキャリアに配置された前記送信データを前記受信装置に送信する送信部とを備え、前記受信装置は、前記送信データを受信する受信部を備える。【０００９】
また、他の態様によれば、送信装置と受信装置との間で無線通信を行う無線通信システムにおいて、前記送信装置は、前記送信装置に割り当てられたサブキャリア数と等しいサイズで、送信データを周波数領域の送信データに変換する変換部と、前記周波数領域に変換された前記送信データに含まれる各成分の位置関係を維持したまま、前記各成分を各サブキャリアに配置し、前記サブキャリアが送信に利用されないサブキャリアのとき、当該サブキャリアに配置する前記送信データの成分をパンクチャする第１のサブキャリア配置部と、前記サブキャリアに配置された前記送信データを時間領域の送信データに変換後、当該送信データを前記受信装置に送信する送信部とを備え、前記受信装置は、前記送信データを受信する受信部を備える。【００１０】
さらに、他の態様によれば、受信装置との間で無線通信を行う送信装置において、送信データの系列を繰り返すことで前記送信データの系列長を拡大する拡大部と、拡大された前記送信データに含まれる各成分の位置関係を維持したまま、前記各成分を各サブキャリアに配置し、前記サブキャリアが送信に利用されないサブキャリアのとき、当該サブキャリアに配置する前記送信データの成分をパンクチャする第１のサブキャリア配置部と、前記サブキャリアに配置された前記送信データを前記受信装置に送信する送信部とを備える。【００１１】
さらに、他の態様によれば、受信装置との間で無線通信を行う送信装置において、前記送信装置に割り当てられたサブキャリア数と等しいサイズで、送信データを周波数領域の送信データに変換する変換部と、前記周波数領域に変換された前記送信データに含まれる各成分の位置関係を維持したまま、前記各成分を各サブキャリアに配置し、前記サブキャリアが送信に利用されないサブキャリアのとき、当該サブキャリアに配置する前記送信データの成分をパンクチャする第１のサブキャリア配置部と、前記サブキャリアに配置された前記送信データを時間領域の送信データに変換後、当該送信データを前記受信装置に送信する送信部とを備える。【００１２】
さらに、他の態様によれば、送信装置との間で無線通信を行う受信装置において、送信データの系列を繰り返すことで前記送信データの系列長が拡大されて、拡大された前記送信データに含まれる各成分の位置関係が維持されたまま、前記各成分が各サブキャリアに配置され、前記サブキャリアが送信に利用されないサブキャリアのとき、当該サブキャリアに配置される前記送信データの成分がパンクチャされ、前記サブキャリアに配置された前記送信データを受信する受信部を備える。【００１３】
さらに、他の態様によれば、送信装置との間で無線通信を行う受信装置において、前記送信装置に割り当てられたサブキャリア数と等しいサイズで、送信データが周波数領域の送信データに変換され、前記周波数領域に変換された前記送信データに含まれる各成分の位置関係を維持したまま、前記各成分が各サブキャリアに配置され、前記サブキャリアが送信に利用されないサブキャリアのとき、当該サブキャリアに配置された前記送信データの成分がパンクチャされて、前記サブキャリアに配置された前記送信データが時間領域の送信データに変換された後の当該送信データを受信する受信部を備える。【００１４】
さらに、他の態様によれば、送信装置と受信装置との間で無線通信を行う無線通信システムにおける無線通信方法であって、前記送信装置は、送信データの系列を繰り返すことで前記送信データの系列長を拡大し、拡大された前記送信データに含まれる各成分の位置関係を維持したまま、前記各成分を各サブキャリアに配置し、前記サブキャリアが送信に利用されないサブキャリアのとき、当該サブキャリアに配置する前記送信データの成分をパンクチャし、前記サブキャリアに配置された前記送信データを前記受信装置に送信し、前記受信装置は、前記送信データを受信する。【００１５】
さらに、他の態様によれば、送信装置と受信装置との間で無線通信を行う無線通信システムにおける無線通信方法であって、前記送信装置は、前記送信装置に割り当てられたサブキャリア数と等しいサイズで、送信データを周波数領域の送信データに変換し、前記周波数領域に変換された前記送信データに含まれる各成分の位置関係を維持したまま、前記各成分を各サブキャリアに配置し、前記サブキャリアが送信に利用されないサブキャリアのとき、当該サブキャリアに配置する前記送信データの成分をパンクチャし、前記サブキャリアに配置された前記送信データを時間領域の送信データに変換後、当該送信データを前記受信装置に送信し、前記受信装置は、前記送信データを受信する。
【発明の効果】
【００１６】
ＰＡＰＲ特性を向上させるようにした無線通信システム、送信装置、受信装置、及び無線通信システムにおける無線通信方法を提供することができる。
【図面の簡単な説明】
【００１７】
【図１】図１は無線通信システムの構成例を示す図である。
【図２】図２は送信装置の構成例を示す図である。
【図３】図３は受信装置の構成例を示す図である。
【図４】図４は動作例を示す図である。
【図５】図５（Ａ）〜図５（Ｄ）はサブキャリアへの配置例等を示す図である。
【図６】図６はサブキャリア配置例を示す図である。
【図７】図７（Ａ）〜図７（Ｃ）はサブキャリアへの配置例等を示す図である。
【図８】図８は動作例を示すフローチャートである。
【図９】図９は送信装置の構成例を示す図である。
【図１０】図１０（Ａ）〜図１０（Ｅ）はサブキャリアへの配置例等を示す図である。
【図１１】図１１は動作例を示すフローチャートである。
【図１２】図１２は送信装置の構成例を示す図である。
【図１３】図１３は受信装置の構成例を示す図である。
【図１４】図１４（Ａ）〜図１４（Ｃ）はサブキャリアへの配置例等を示す図である。
【図１５】図１５は動作例を示すフローチャートである。
【図１６】図１６は送信装置の構成例を示す図である。
【図１７】図１７は受信装置の構成例を示す図である。
【図１８】図１８（Ａ）と図１８（Ｂ）は動作例を示すフローチャートである。
【図１９】図１９は送信装置の構成例を示す図である。
【図２０】図２０は受信装置の構成例を示す図である。
【図２１】図２１はシミュレーション結果の例を示す図である。
【図２２】図２２（Ａ）〜図２２（Ｃ）は従来におけるサブキャリアへの配置例等を示す図である。
【符号の説明】
【００１８】
１０：無線通信システム                １００：送信装置
１０２：ＤＦＴ部                      １０３：系列長拡大部
１０４：サブキャリア配置部            １０５：ＩＦＦＴ部
１１１：送信サブキャリア配置情報取得部
１１２：ＤＦＴサイズ決定部            １１５：サブキャリア保持部
１１６：サブキャリア置換部            １１８：ＯＦＤＭ用サブキャリア配置部
１１９：送信方法情報取得部            １２０：選択部
２００：受信装置                      ２０９：サブキャリア配置決定部
２１０：送信サブキャリア配置情報生成部
２２０：送信方法決定部
【発明を実施するための最良の形態】
【００１９】
本発明を実施するための形態について以下説明する。【００２０】
＜第１の実施例＞
第１の実施例について説明する。図１は無線通信システム１０の構成例を示す図である。送信装置１００と受信装置２００との間で無線通信を行う無線通信システムにおいて、前記送信装置１００は、送信データの系列を繰り返すことで前記送信データの系列長を拡大する拡大部１５０と、拡大された前記送信データに含まれる各成分の位置関係を維持したまま、前記各成分を各サブキャリアに配置し、前記サブキャリアが送信に利用されないサブキャリアのとき、当該サブキャリアに配置する前記送信データの成分をパンクチャする第１のサブキャリア配置部１６０と、前記サブキャリアに配置された前記送信データを前記受信装置に送信する送信部１７０とを備え、前記受信装置２００は、前記送信データを受信する受信部２５０を備える。【００２１】
拡大部１５０は、入力された送信データに対して、送信データの系列を繰り返すことで送信データの系列長を拡大する。【００２２】
第１のサブキャリア配置部１６０は、拡大された送信データが入力され、当該送信データに含まれる各成分の位置関係を維持したまま、前記各成分を各サブキャリアに配置する。このとき、第１のサブキャリア配置部１６０は、サブキャリアが送信に利用されないサブキャリアに配置する送信データの成分をパンクチャする。【００２３】
送信部１７０は、第１のサブキャリア配置部１６０によりサブキャリアに配置された送信データを受信装置に送信する。【００２４】
受信装置２００の受信部２５０は、送信部１７０から送信された送信データを受信する。【００２５】
無線通信システム１０は、拡大部１５０により送信データ系列が繰り返されて拡大され、第１のサブキャリア配置部１６０により、拡大された送信データ系列の位置関係が維持されたままサブキャリアに配置される。【００２６】
したがって、サブキャリアに配置された送信データ系列の成分が、拡大部１５０に入力される前の送信データ系列の位置関係と異なるサブキャリアに配置される確率が、Ｃｌｕｓｔｅｒｅｄ  ＳＣ‐ＯＦＤＭの場合と比較して少なくなる。よって、本無線システム１０はＰＡＰＲの特性はＣｌｕｓｔｅｒｅｄ  ＳＣ‐ＯＦＤＭと比較して向上する。【００２７】
＜第２の実施例＞
次に第２の実施例について説明する。図２は無線通信システム１０における送信装置１００、図３は無線通信システム１０における受信装置２００の各構成例を示す図である。第２の実施例において、例えば、送信装置１００は端末装置、受信装置２００は基地局装置であり、データ等が送信装置１００から受信装置２００にアップリンク方向で送信される。【００２８】
送信装置１００は、シリアルパラレル変換部１０１と、ＤＦＴ（discrete
Fourier Transform）部１０２と、系列長拡大部１０３と、サブキャリア配置部１０４と、ＩＦＦＴ（Inverse
Fast Fourier Transform）部１０５と、パラレルシリアル変換部１０６と、ＣＰ（Cyclic
Prefix）付加部１０７と、送信アンテナ１０８と、受信アンテナ１１０と、送信サブキャリア配置情報取得部１１１と、ＤＦＴサイズ決定部１１２とを備える。【００２９】
第１の実施例における拡大部１５０は、例えば系列長拡大部１０３に対応し、第１のサブキャリア配置部１６０は、例えばサブキャリア配置部１０４に対応し、送信部１７０は、例えばＩＦＦＴ部１０５から送信アンテナ１１０までに対応する。【００３０】
シリアルパラレル変換部１０１は、シリアル形式のデータａ０，ａ１，…，ａＮ−１をパラレル形式に変換する。【００３１】
ＤＦＴ部１０２は、パラレル変換後のデータをＤＦＴ処理することにより、時間領域のデータを周波数領域のデータｂ０，ｂ１，…，ｂＮ−１に変換する。【００３２】
系列長拡大部１０３は、ＤＦＴサイズとサブキャリア配置情報に基づいて、ＤＦＴ処理後のデータを繰り返すことで当該データの系列長（またはデータ長）を拡大する。詳細は後述する。【００３３】
サブキャリア配置部１０４は、送信サブキャリア配置情報に従って、拡大後のデータをサブキャリアに配置する。詳細は後述する。【００３４】
ＩＦＦＴ部１０５は、サブキャリア配置部１０４の出力に対してＩＦＦＴ処理を行い、周波数領域のデータを時間領域のデータに変換する。【００３５】
パラレルシリアル変換部１０６は、ＩＦＦＴ部１０５の出力をシリアル形式に変換する。【００３６】
ＣＰ付加部１０７は、シリアル変換後のデータにＣＰを付加して出力する。【００３７】
送信アンテナ１０８は、ＣＰ付加部１０７の出力を無線信号として受信装置２００に送信する。【００３８】
受信アンテナ１１０は、受信装置２００から送信された無線信号を受信する。【００３９】
送信サブキャリア配置情報取得部１１１は、受信アンテナ１１０で受信した無線信号を復調等し、復調等された無線信号から送信サブキャリア配置情報を取得する。送信サブキャリア配置情報取得部１１１は、取得した送信サブキャリア配置情報をＤＦＴサイズ決定部１１２、系列長拡大部１０３、及びサブキャリア配置部１０４に出力する。【００４０】
ＤＦＴサイズ決定部１１２は、送信サブキャリア配置情報に基づいて、ＤＦＴサイズを決定し、シリアルパラレル変換部１０１、ＤＦＴ部１０２、及び系列長拡大部１０３に出力する。ＤＦＴ部１０２等は、決定したＤＦＴサイズでＤＦＴ処理等を行う。【００４１】
受信装置２００は、受信アンテナ２０１と、ＣＰ除去部２０２と、シリアルパラレル変換部２０３と、ＦＦＴ（Fast
Fourier Transform）部２０４と、サブキャリア抽出部２０５と、系列長縮小部２０６と、ＩＤＦＴ（Inverse
Discrete Fourier Transform）部２０７と、パラレルシリアル変換部２０８と、サブキャリア配置決定部２０９と、送信サブキャリア配置情報生成部２１０と、ＩＤＦＴサイズ決定部２１１と、フレーム構成部２１２と、変調部２１３と、送信アンテナ２１４とを備える。【００４２】
第１の実施例における受信部２５０は、例えば、受信アンテナ２０１からパラレルシリアル変換部２０８までと、ＩＤＦＴサイズ決定部２１１とに対応する。【００４３】
受信アンテナ２０１は、送信装置１００から送信された無線信号を受信し、送信装置１００の無線信号変換前のデータに変換する。【００４４】
ＣＰ除去部２０２は、受信アンテナ２０１からのデータに対してＣＰを除去する。【００４５】
シリアルパラレル変換部２０３は、ＣＰが除去されたデータをパラレル形式に変換する。【００４６】
ＦＦＴ部２０４は、パラレル形式に変換後のデータをＦＦＴ処理し、時間領域から周波数領域のデータに変換する。【００４７】
サブキャリア抽出部２０５は、サブキャリア配置情報に従い、ＦＦＴ部２０４の出力に対してサブキャリアに配置されたデータを抽出する。【００４８】
系列長縮小部２０６は、送信サブキャリア配置情報とＩＤＦＴサイズとに従って、送信装置１００の系列長拡大部１０３により拡大されたデータを縮小する。【００４９】
ＩＤＦＴ部２０７は、系列長縮小部２０６から出力されたデータｂ０，ｂ１，…，ｂＮ−１に対してＩＤＦＴ処理を行い、時間領域のデータに変換する。【００５０】
パラレルシリアル変換部２０８は、ＩＤＦＴ処理後のデータをシリアル形式に変換して出力する。【００５１】
サブキャリア配置決定部２０９は、送信装置１００から送信されるデータをどのサブキャリアに配置させるか等を決定する。【００５２】
送信サブキャリア配置情報生成部２１０は、サブキャリア配置決定部２０９により決定されたサブキャリアの配置等に基づいて、送信装置１００がデータを送信するときにどのサブキャリアを用いるか等を示す送信サブキャリア配置情報を生成する。【００５３】
ＩＤＦＴサイズ決定部２１１は、送信サブキャリア配置情報に基づいて、ＩＤＦＴサイズを決定し、決定したＩＤＦＴサイズを系列長縮小部２０６、ＩＤＦＴ部２０７、パラレルシリアル変換部２０８に出力する。ＩＤＦＴ部２０７等は、ＩＤＦＴサイズに基づいて、ＩＤＦＴ等の処理を行う。【００５４】
フレーム構成部２１２は、フレーム内に送信サブキャリア配置情報を含めるように、フレームを生成する。【００５５】
変調部２１３は、フレーム構成部２１２からの出力を変調する。【００５６】
送信アンテナ２１４は、変調部２１３からの出力を無線信号に変換して、送信装置１００に送信する。受信装置２００は、送信サブキャリア配置情報を送信装置１００に送信する。【００５７】
次に、送信装置１００の系列長拡大部１０３とサブキャリア配置部１０４とで行われる処理の例について説明する。図４はサブキャリアへの配置処理の例、図５（Ａ）〜同図（Ｄ）はサブキャリアへの配置例をそれぞれ示す図である。【００５８】
１２個の入力データ系列ａ０，ａ１，…，ａ１１に対して、ＤＦＴ部１０２においてＤＦＴ処理がなされ、ＤＦＴ後のデータ系列ｂ０，ｂ１，…，ｂ１１が得られる。１つのリソースブロックは１２サブキャリアを含むため、図５（Ａ）等の例では１２個の系列を例にして説明する。勿論、それ以外の系列数でもよい。【００５９】
系列長拡大部１０３は、ＤＦＴ後のデータ系列ｂ０，ｂ１，…，ｂ１１を繰り返して拡大させることで、データ系列ｂ０，ｂ１，…，ｂ１１，ｂ０，ｂ１，…を出力する。系列長拡大部１０３は、送信に利用する複数のサブキャリアのうち、サブキャリア周波数の最も小さいサブキャリアから最も大きいサブキャリアまでのサブキャリア数以上となるように繰り返しを行う。送信サブキャリア配置情報には、最も大きいサブキャリア周波数、最も小さいサブキャリア周波数、または送信に利用されるサブキャリア数等が含まれる。系列長拡大部１０３はこの送信サブキャリア配置情報に基づいて、繰り返しの数（または拡大数）を決定できる。【００６０】
サブキャリア配置部１０４は、送信サブキャリア配置情報に従い、繰り返し後のデータ系列ｂ０，ｂ１，…，ｂ１１，ｂ０，ｂ１，…をサブキャリア上に順次配置する。サブキャリア配置部１０４は、クラスタ分割前と同じサブキャリア位置にデータ系列ｂ０，ｂ１，…，ｂ１１，ｂ０，ｂ１，…を順次配置する。言い換えると、サブキャリア配置部１０４は、繰り返し後（またはＤＦＴ後）のデータ系列の位置関係を維持したまま、データ系列ｂ０，ｂ１，…，ｂ１１，ｂ０，ｂ１，…をサブキャリア上に配置する。図５（Ｂ）及び図５（Ｃ）の例では、サブキャリア配置部１０４は、データ系列ｂ０〜ｂ７をクラスタ１としてサブキャリア上に配置し、データ系列ｂ９〜ｂ１１，ｂ０をクラスタ２としてサブキャリア上に配置する。サブキャリア配置部１０４は、送信に利用されないサブキャリアに配置されるデータ系列（図５（Ｄ）の例はｂ８）をパンクチャする（「０」を配置する）。【００６１】
なお、サブキャリア配置部１０４は、位置関係を維持したままデータ系列を順次サブキャリアに配置するときに送信に利用されないサブキャリアの存在により、送信に利用するサブキャリアが余り、ＤＦＴ後のデータ系列が足りなくなってしまう場合もある。系列長拡大部１０３は、この足りなくなったデータ系列を補償するために、ＤＦＴ後のデータ系列を拡大する。【００６２】
ＤＦＴ後の出力系列ｂ０，ｂ１，…，ｂ１１とサブキャリア配置後の系列とを比較すると、ｂ０〜ｂ７と、ｂ９〜ｂ１１の１１サブキャリアは、ＤＦＴ後の出力系列と同じ位置に配置される。言い換えると、１１サブキャリアは、シングルキャリアの場合と同じサブキャリア配置となっている。これにより、全１２サブキャリアのうち、大部分の成分（１１サブキャリア）がシングルキャリアの場合と同じ波形成分となるようなデータ系列（シングルキャリアから変化しにくい信号波形を有する送信系列）が得られる。【００６３】
図５（Ａ）等の例では、シングルキャリア信号であるＤＦＴ後のデータ系列（またはクラスタ分割前のデータ系列）に対して、サブキャリア配置後は高々１サブキャリアの相違である。よって、本例の場合、シングルキャリア伝送の場合と比較して、ＰＡＰＲ特性の変化は小さい。【００６４】
また、Ｃｌｕｓｔｅｒｅｄ  ＳＣ‐ＦＤＭＡによる従来例（図２２（Ａ）〜同図（Ｃ））では、４サブキャリアがＤＦＴ後のデータ系列（シングルキャリア伝送のデータ系列）に対して異なる位置に配置される。一方、図５（Ａ）等の例では、シングルキャリア伝送のデータ系列とは１サブキャリアの相違である。よって、本例の場合は、Ｃｌｕｓｔｅｒｅｄ  ＳＣ‐ＦＤＭＡと比較して、シングルキャリア伝送による性質に近づくため、ＰＡＰＲの特性の劣化を抑えることができる。【００６５】
次に一般的な例でサブキャリア配置例を説明する。図６、図７（Ａ）〜図７（Ｃ）はかかる場合の配置例を示す図である。【００６６】
クラスタの個数ｋをｋ＝０，１，…，Ｍ−１とし、各クラスタ＃ｋには、ＮＣ（ｋ）個のサブキャリアが含まれるものとする。また、クラスタ＃ｋとクラスタ＃（ｋ＋１）との間（送信に利用されないサブキャリア数）をＮＤ（ｋ）とする。【００６７】
ここで、ｎｓ（０）を送信に用いられるサブキャリアの中で最も周波数の小さいサブキャリア番号とすると、各クラスタ＃ｋに含まれるサブキャリアの番号は、【００６８】
【数１】
2010116397.tif 000003
【００６９】
として、【００７０】
【数２】
2010116397.tif 000004
【００７１】
となる。【００７２】
ＤＦＴ部１０２への入力データ系列の個数をＮｄａｔａとしたとき、ＤＦＴ部１０２がクラスタ内のＮＣ（ｋ）個のサブキャリアと同数のＤＦＴ処理を行う場合、【００７３】
【数３】
2010116397.tif 000005
【００７４】
が得られる。【００７５】
サブキャリア配置部１０４は、Ｎｄａｔａ個のＤＦＴ出力ｙ（ｉ）をクラスタ＃ｋ内のＮＣ（ｋ）個の各サブキャリアに配置する。すなわち、サブキャリア配置部１０４は、クラスタ＃ｋの各サブキャリアには、【００７６】
【数４】
2010116397.tif 000006
【００７７】
を配置する。数４のｍｏｄ演算が系列長拡大部１０３における繰り返し拡大処理に対応する。【００７８】
このように、第２の実施例では、系列長拡大部１０３によりＤＦＴ後のデータ系列に対して繰り返し拡大処理が行われ、サブキャリア配置部１０４により、拡大処理後のデータ系列（またはＤＦＴ後のデータ系列）の位置（または配置）関係を維持したまま順次サブキャリアへの配置が行われる。このとき、サブキャリア配置部１０４は送信に利用されないサブキャリアへのデータをパンクチャする。【００７９】
本第２の実施例は、データ系列の位置関係が維持されたままサブキャリアへの配置が行われるため、Ｃｌｕｓｔｅｒｅｄ  ＳＣ‐ＦＤＭＡと比較してシングルキャリア伝送の送信波形に近づき、送信装置１００のＰＡＰＲ特性を向上させることができる。【００８０】
次に、系列長拡大部１０３によりＤＦＴ後のデータ系列が拡大された場合でも、シングルキャリア伝送の性質が維持される点について説明する。一例として、ＤＦＴ部１０２はＴ個の入力シンボルに対してサイズＴのＤＦＴ変換を行い、ＩＦＦＴ部１０５はサイズ２ＴでＩＤＦＴ変換を行い、時間波形を生成する例で説明する。【００８１】
Ｔ個の入力シンボルａ（０）〜ａ（Ｔ−１）に対して、サイズＴのＤＦＴ変換が行われたとき、ＤＦＴ後の出力系列ｂ（ｋ）は、【００８２】
【数５】
2010116397.tif 000007
【００８３】
となる。【００８４】
繰り返し拡大処理により、この出力系例ｂ（ｋ）を繰り返してサイズを２Ｔとした場合を考える。出力系列ｂ（ｋ）の繰り返しにより、サイズ２ＴのＩＦＦＴ変換を行うと、ＩＦＦＴ部１０５からの出力波形ξ２（ｔ）は、【００８５】
【数６】
2010116397.tif 000008
【００８６】
となる。【００８７】
一方、出力系列ｂ（ｋ）にＴ個の「０」を追加する（サイズは２Ｔ）ことで拡大処理を行った場合、ＩＦＦＴ部１０５からの出力波形ξ１（ｔ）は、【００８８】
【数７】
2010116397.tif 000009
【００８９】
となる。【００９０】
この２つの出力波形ξ１（ｔ），ξ２（ｔ）について考察する。まず、出力波形ξ２（ｔ）について、偶数サンプルでの位置ｔ＝２ｎでは、【００９１】
【数８】
2010116397.tif 000010
【００９２】
となる。ここで、数８の括弧内の右辺第２項において、ｂ（ｋ
ｍｏｄ Ｔ）およびｅｘｐ（２πｊｎｋ／Ｔ）は、共に周期Ｔの周期関数となっている。つまり、【００９３】
【数９】
2010116397.tif 000011
【００９４】
であること、及びｋ＝０〜Ｔ−１に対して、【００９５】
【数１０】
2010116397.tif 000012
【００９６】
であることから、数８は、【００９７】
【数１１】
2010116397.tif 000013
【００９８】
と変形される。出力波形ξ２（ｔ）について、偶数サンプルｔ＝２ｎでの位置での値は、入力信号ａ（ｎ）と同じ値となる。【００９９】
次に、出力波形ξ２（ｔ）の奇数サンプルｔ＝２ｎ＋１については、数６から、【０１００】
【数１２】
2010116397.tif 000014
【０１０１】
となる。数１２の右辺第２項について、ｋをｋ＋Ｔ、加算区間を［Ｔ，２Ｔ−１］から［０，Ｔ−１］に置き換えると、右辺第２項は、【０１０２】
【数１３】
2010116397.tif 000015
【０１０３】
となる。数１３を数１２に代入すると、数１２は、【０１０４】
【数１４】
2010116397.tif 000016
【０１０５】
となる。つまり、周波数領域でｂ（ｋ）が繰り返し配置されて拡大処理が行われることで、ＩＦＦＴ部１０５から出力される出力波形ξ２（ｔ）は、時間領域では偶数サンプルに成分が局所化され、奇数サンプルでは「０」となる波形となる。従って、周波数領域でＤＦＴ後の出力系列を繰り返すことで拡大された系列の時間波形は、シングルキャリア伝送と同等の波形となる。【０１０６】
一方、周波数領域で「０」が繰り返し配置されて拡大処理が行われた場合、ＩＦＦＴ部１０５から出力される出力波形ξ１（ｔ）は、出力波形ξ２（ｔ）を周波数領域でローパスフィルタを通した波形を同じ波形となる。この場合、出力波形ξ１（ｔ）は、ξ２（ｔ）の成分でサブキャリア上「０」となっていた奇数サンプル位置ｔ＝２ｎ＋１での値を補間して生成したような波形となる。よって、周波数領域でＤＦＴ後の出力にさらに「０」が繰り返し配置されて拡大された系列の出力波形は、偶数サンプルでの信号点を変えずに、補間された間のサンプル点を小さくするような波形となる。従って、出力波形ξ１（ｔ）についてもシングルキャリア伝送の時間波形と同等の波形となる。【０１０７】
以上から、拡大処理が行われても、出力波形はシングルキャリア伝送の波形を維持することになる。【０１０８】
次に、第２の実施例の動作例を説明する。まず、受信装置２００のサブキャリア配置決定部２０９は送信装置１００から送信されるデータに対するサブキャリアの配置を決定する。そして、送信サブキャリア配置情報生成部２１０は、サブキャリア配置決定部２０９で決定したサブキャリアへの配置に基づいて送信サブキャリア配置情報を生成する。その後、送信サブキャリア配置情報は、フレーム構成部２１２、変調部２１３を経由して、送信アンテナ２１４から送信装置１００に送信される。【０１０９】
図８は送信装置１００の動作例を示すフローチャートである。処理が開始されると（Ｓ１０）、シリアルパラレル変換部１０１は、入力データ（または送信データ、あるいは送信信号）をパラレル形式に変換する（Ｓ１１）。【０１１０】
次いで、ＤＦＴ部１０２は、ＤＦＴサイズ決定部１１２で決定したＤＦＴサイズに基づいて、パラレル変換後の入力データに対してＤＦＴ処理を行い、周波数領域のデータｂ０，ｂ１，…，ｂＮ−１に変換する（Ｓ１２）。【０１１１】
次いで、系列長拡大部１０３は、受信装置２００から送信された送信サブキャリア配置情報とＤＦＴサイズサイズとに基づいて、データｂ０，ｂ１，…，ｂＮ−１に対して拡大処理を行う（Ｓ１３）。【０１１２】
次いで、サブキャリア配置部１０４は、送信サブキャリア配置情報に基づいて、送信周波数帯域の各サブキャリア上に、拡大後のデータ系列ｂ０，ｂ１，…，ｂＮ−１，ｂ０，ｂ１，…を順次配置する（Ｓ１４）。サブキャリア配置部１０４は、送信に用いない不連続なサブキャリアがあっても、データ系列ｂ０，ｂ１，…，ｂＮ−１，ｂ０，ｂ１，…の配置関係をそのまま維持させて、サブキャリアに順次配置する。サブキャリア配置部１０４は、送信に用いないサブキャリアに対応するデータ系列の成分をパンクチャする。【０１１３】
次いで、ＩＦＦＴ部１０５は、サブキャリア配置部１０４からの出力に対して、ＩＦＦＴ処理を行い時間領域のデータ系列に変換する（Ｓ１６）。【０１１４】
次いで、パラレルシリアル変換部１０６は、ＩＦＦＴ部１０５の出力をシリアル変換し（Ｓ１８）、ＣＰ付加部１０７はＣＰを付加する（Ｓ１８）。そして、一連の処理が終了する（Ｓ１９）。【０１１５】
かかるデータ系列を受信した受信装置２００は以下のように動作する。すなわち、ＣＰ除去部２０２は受信アンテナ２０１で受信した受信データからＣＰを除去し、シリアルパラレル変換部２０３はＣＰ除去後の受信データをパラレル形式に変換する。変換後の受信データは、ＦＦＴ部２０４にて周波数領域のデータに変換される。その後、送信サブキャリア配置情報生成部２１０で生成された送信サブキャリア配置情報に従って、サブキャリア抽出部２０５においてサブキャリア上に配置されたデータ系列が抽出される。【０１１６】
その後、抽出されたデータ系列は、系列長縮小部２０６にて系列長が縮小されて、送信装置１００でのＤＦＴ後と同じデータｂ０，ｂ１，…，ｂＮ−１が得られる。そして、データｂ０，ｂ１，…，ｂＮ−１はＩＤＦＴ部２０７において時間領域の系列に変換され、パラレルシリアル変換部２０８にてシリアル変換後、送信装置１００の入力データａ０，ａ１，…，ａＮ−１が得られる。【０１１７】
＜第３の実施例＞
次に第３の実施例について説明する。図９は、第３の実施例における送信装置１００の構成例を示す図である。受信装置２００は第２の実施例と同様である（図３参照）。【０１１８】
図９に示すように、送信装置１００は、さらに、サブキャリア保持部１１５と、サブキャリア置換部１１６を備える。【０１１９】
サブキャリア保持部１１５は、サブキャリア配置部１０４でパンクチャされたデータ系列の成分を保持する（図５（Ｃ）の例では「ｂ８」）。例えば、サブキャリア配置部１０４はパンクチャ処理するときに当該成分をサブキャリア保持部１１５に出力することで当該成分が保持される。【０１２０】
サブキャリア置換部１１６は、サブキャリア保持部１１５からパンクチャされた成分を読み出し、サブキャリア上に再配置する。再配置は、例えば、サブキャリアに配置したデータ系列の成分のうち、繰り返し拡大された成分をパンクチャされた成分に置換することで行われる。【０１２１】
図１０（Ａ）〜同図（Ｅ）はサブキャリアの配置例を示す図である。これらの図に示す例は、繰り返し拡大された成分「ｂ０」がパンクチャされる成分「ｂ８」に置換される例である。【０１２２】
このように、パンクチャされる成分が送信データとして受信装置２００に送信されるため、受信装置２００は送信データを正確に再生できる。また、本第３の実施例でも、第２の実施例と同様に系列拡大後にデータ系列の位置関係が維持されたまま、当該データがサブキャリアに配置される。よって、第３の実施例における無線通信システム１０はＰＡＰＲを改善できる。【０１２３】
図１１は送信装置１００における処理例を示すフローチャートである。サブキャリアマッピング（Ｓ１４）後、サブキャリア置換部１１６はサブキャリア保持部１１５からパンクチャされた成分を読み出す。そして、サブキャリア置換部１１６はサブキャリア上に配置された繰り返し拡大された成分を、パンクチャされた成分に置換する（Ｓ２１）。その後の処理は第２の実施例と同様である。【０１２４】
＜第４の実施例＞
次に第４の実施例を説明する。図１２は送信装置１００、図１３は受信装置２００の構成例を示す図である。【０１２５】
送信装置１００のＤＦＴサイズ決定部１１２は、サブキャリア配置情報に基づいて、送信に用いるサブキャリアのうち、最も小さいサブキャリア番号から最も大きいサブキャリア番号までのサブキャリア数をＤＦＴサイズとして決定する。この場合、パンクチャされるサブキャリアを含めたサブキャリア数がＤＦＴサイズとなる。【０１２６】
図１４（Ａ）〜同図（Ｃ）はサブキャリアの配置例等を示す図である。この例の場合、送信に用いるサブキャリア数は「１２」、送信に用いないサブキャリア数は「１」、よってＤＦＴサイズは「１３」となる。【０１２７】
ＤＦＴサイズ決定部１１２は「１３」の情報をシリアルパラレル変換部１０１とＤＦＴ部１０２に出力する。シリアルパラレル変換部１０１は、「１３」個ごとにパラレル信号を出力する。ＤＦＴ部１０２は、長さ「１３」のＤＦＴ出力系列ｂ０〜ｂ１２を出力する。【０１２８】
サブキャリア配置部１０４は、この出力系列ｂ０〜ｂ１２をサブキャリア上に配置する。図１４（ａ）に示す例は、「ｂ８」が配置されるサブキャリアは送信に利用されないため、サブキャリア配置部１０４は成分「ｂ８」をパンクチャする（「０」を配置する）。以後は、第２の実施例と同様である。【０１２９】
一般的な例でサブキャリア配置例を説明する。第２の実施例と同様に、各クラスタ＃ｋ（＝０，１，…，Ｍ−１）がそれぞれＮＣ（ｋ）個のサブキャリアを有し、クラスタ＃ｋとクラスタ＃（ｋ＋１）との間隔（送信に用いられないサブキャリア数）をＮＤ（ｋ）（ｋ＝０〜Ｍ−２）とする。このとき、クラスタ＃ｋに含まれるサブキャリア番号は、【０１３０】
【数１５】
2010116397.tif 000017
【０１３１】
として、【０１３２】
【数１６】
2010116397.tif 000018
【０１３３】
となる。送信に用いないサブキャリア数ＮＤ（ｋ）とクラスタ＃ｋに含まれるサブキャリア数ＮＣ（ｋ）とを加算したものがＤＦＴサイズとなるため、ＤＦＴ部１０２への入力データの個数Ｎｄａｔａは、【０１３４】
【数１７】
2010116397.tif 000019
【０１３５】
となる。【０１３６】
そして、サブキャリア配置部１０４は、Ｎｄａｔａ個のＤＦＴ出力ｙ（ｉ）を各クラスタのサブキャリアに配置する。すなわち、サブキャリア配置部１０４は、クラスタ＃ｋのＮＣ（ｋ）個のサブキャリアに、【０１３７】
【数１８】
2010116397.tif 000020
【０１３８】
を配置する。【０１３９】
図１５は処理の例を示すフローチャートである。ＤＦＴ処理の際に、ＤＦＴサイズ決定部１１２で送信のために割り当てられたサブキャリア数よりも大きくしたＤＦＴサイズを決定する。例えば、上述したように、ＤＦＴサイズ決定部１１２は、送信に用いるサブキャリア数と送信に用いないサブキャリア数とを加算した数をＤＦＴサイズとする。ＤＦＴ部１０２は決定したＤＦＴサイズによりＤＦＴ処理を行う（Ｓ３１）。以後は、第２の実施例と同様である。【０１４０】
第４の実施例では、繰り返し拡大処理を含まないため、第２の実施例と比較して、送信装置１００は系列長拡大部１０３、受信装置２００は系列長縮小部２０６がなく、部品点数が少なくなり、設計も容易となる。【０１４１】
なお、本第４の実施例は、上述した第３の実施例においても適用可能である。ＤＦＴ処理後のデータがサブキャリア置換部１１６においてサブキャリアが置換された後、送信データとして受信装置２００に送信される。【０１４２】
＜第５の実施例＞
次に第５の実施例を説明する。ＯＦＤＭなどのマルチキャリア伝送は、シングルキャリア伝送方式と比較して、ＰＡＰＲは大きいものの周波数選択性フェージング環境における受信性能は優れていることが知られている。ＰＡＰＲの特性は、割り当てられるサブキャリアの配置（クラスタの数や大きさ、配置など）に依存する。とくにパンクチャされるサブキャリア数が送信に利用するサブキャリア数より大きい場合、ＰＡＰＲが大きくなる傾向がある。そこで、第５の実施例では、一定の条件の場合に、第２の実施例で説明した送信方式からＯＦＤＭに送信方法を切り替える（あるいはその逆）ようにする。【０１４３】
図１６は送信装置１００、図１７は受信装置２００の構成例を示す図である。送信装置１００は、更に、ＯＦＤＭ用のサブキャリア配置部１１８と、送信方法情報取得部１１９と、選択部１２０とを備える。また、受信装置２００は、さらに送信方法決定部２２０を備える。【０１４４】
送信方法決定部２２０は、サブキャリア配置決定部２０９で決定したサブキャリア配置に基づいて送信方法を決定する。例えば、送信方法決定部２２０は、送信に用いるサブキャリア数をＡ、パンクチャされるサブキャリア数をＢとすると、Ｂ／Ａ≦Ｘ（Ｘは閾値）であれば第２の実施例の送信方法を選択し、Ｂ／Ａ＞ＸであればＯＦＤＭを選択する。決定した送信方法は、送信方法情報としてフレーム構成部２１２等を介して送信装置１００に送信される。【０１４５】
送信方法情報取得部１１９は、送信方法情報を取得し選択部１２０に出力する。【０１４６】
ＯＦＤＭ用サブキャリア配置部１１８は、送信サブキャリア配置情報に従い、パラレル変換後の入力データをサブキャリアに配置する。【０１４７】
選択部１２０は、送信方法情報が第２の実施例の送信方法を示すとき、サブキャリア配置部１０４の出力を選択し、送信方法情報がＯＦＤＭを示すとき、ＯＦＤＭ用サブキャリア配置部１１８からの出力を選択して、出力する。以後は第２の実施例と同様である。【０１４８】
図１８（Ａ）は受信装置２００、同図（Ｂ）は送信装置１００の動作例を示すフローチャートである。【０１４９】
受信装置２００のサブキャリア配置決定部２０９は、送信装置１００に対するサブキャリア配置を決定し、送信サブキャリア配置情報生成部２１０は決定した配置に基づいて送信サブキャリア配置情報を生成する（Ｓ４１）。送信方法決定部２２０は送信方法を決定する（Ｓ４２）。送信方法情報と送信サブキャリア配置情報の２つの情報が送信装置１００に送信される（Ｓ４３〜Ｓ４４）。２つの情報は、例えば制御情報として送信される。【０１５０】
一方、送信装置１００の送信方法情報取得部１１９は送信方法情報を取得し、送信サブキャリア配置情報取得部１１１は送信サブキャリア配置情報を取得する（Ｓ５１）。サブキャリア配置部１０４とＯＦＤＭ用サブキャリア配置部１１８はそれぞれサブキャリアにデータ系列を配置させ（Ｓ５２）、選択部１２０は送信方法情報に従いいずれかを選択し出力する（Ｓ５３）。以後、選択されたデータに対してＩＦＦＴ等の処理が行われて、当該データが受信装置２００に送信される（Ｓ５４〜Ｓ５５）。【０１５１】
なお、本第５の実施例では、マルチキャリア伝送など他の方式に切り替えが行われればよいため、ＯＦＤＭ以外にもＯＦＤＭＡやＣｌｕｓｔｅｒｅｄ  ＳＣ‐ＯＦＤＭなどに切り替えが行われてもよい。この場合、ＯＦＤＭ用サブキャリア配置部１１８はそれぞれの方式に基づくサブキャリアへの配置が行われる。【０１５２】
また、本第５の実施例は、第３及び第４の実施例でも適用可能である。送信装置１００において、サブキャリア置換部１１６の出力が選択部１２０に出力させるようにすることもできる。また、送信装置１００において、ＤＦＴ部１０２のＤＦＴサイズを送信装置１００に割り当てられたサブキャリア数と同じまたはそれ以上として、そのＤＦＴ部１０２の出力をサブキャリア配置部１０４に直接出力させることもできる。【０１５３】
＜第６の実施例＞
第６の実施例はダウンリンク方向の例である。図１９は送信装置１００、図２０は受信装置２００の構成例をそれぞれ示す図である。本第６の実施例の場合、送信装置１００は基地局装置、受信装置２００は端末装置となる。【０１５４】
第６の実施例における送信装置１００は、サブキャリア配置決定部２０９と、送信サブキャリア配置情報生成部２１０と、フレーム構成部２１２と、変調部２１３と、送信アンテナ２１４とをさらに備える。【０１５５】
サブキャリア配置決定部２０９は、受信装置２００に対する送信サブキャリアの配置を決定する。【０１５６】
送信サブキャリア配置情報生成部２１０は、決定したサブキャリアの配置に基づいて、送信サブキャリア配置情報を生成する。送信サブキャリア配置情報は、系列長拡大部１０３、サブキャリア配置部１０４、及びＤＦＴサイズ決定部１１２に出力される。【０１５７】
系列長拡大部１０３は、送信サブキャリア配置情報とＤＦＴサイズとに基づいて、第２の実施例と同様に、繰り返し拡大処理を行う。また、サブキャリア配置部１０４は、送信サブキャリア配置情報に基づいて、出力系列の位置関係を維持したまま、出力系列をサブキャリアに順次配置し、送信に用いないサブキャリアに対してパンクチャする。【０１５８】
生成された送信サブキャリア配置情報は、フレーム構成部２１２、変調部２１３を介して、送信アンテナ２１４から受信装置２００に送信される。受信装置２００は送信サブキャリア配置情報に基づいてダウンリンク方向のデータを受信する。【０１５９】
受信装置２００は、送信サブキャリア配置情報取得部１１１を備える。送信サブキャリア配置情報取得部１１１は、取得した送信サブキャリア配置情報をサブキャリア抽出部２０５、系列長縮小部２０６、及びＩＤＦＴサイズ決定部２１１に出力する。【０１６０】
サブキャリア抽出部２０５は、送信サブキャリア配置情報に基づいて、サブキャリアに配置されたデータを抽出する。また、系列長縮小部２０６は、送信サブキャリア配置情報とＩＤＦＴサイズに基づいて、送信装置１００で拡大された系列長を縮小する。以後は第２の実施例と同様である。【０１６１】
ダウンリンク方向の場合も、送信データ系列をサブキャリアに配置するとき、送信データ系列の位置関係を維持したまま配置されるため、第２の実施例と同様に、送信波形はシングルキャリア伝送のときの信号波形と同等である。また、系列長拡大部１０３によりＤＦＴ後のデータ系列が拡大されても、第２の実施例と同様に、シングルキャリア伝送の性質は維持される。従って、ダウンリンク方向の場合も、ＰＡＰＲ特性はＣｌｕｓｔｅｒｅｄ  ＳＣ‐ＦＤＭＡと比較して向上する。【０１６２】
ダウンリンク方向の場合でも、サブキャリアに配置したデータ系列の成分のうち、拡大された成分がパンクチャされた成分に置換されることもでき（第３の実施例参照）、ＤＦＴサイズが送信のために割り当てられたサブキャリア数より大きくさせることもできる（第４の実施例参照）。後者の場合、送信装置１００は系列長拡大部１０３、受信装置２００は系列長縮小部２０６を有しないようにすることもできる。さらに、ダウンリンク方向の場合でも、パンクチャされるサブキャリア数と送信に用いられるサブキャリア数とが一定の場合に、ＯＦＤＭまたは第２の実施例による送信方法の切り替えが行われてもよい（第５の実施例参照）。【０１６３】
＜シミュレーション結果＞
最後に第２の実施例におけるシミュレーション結果について説明する。図２１はシミュレーション結果の例を示す図である。横軸はＰＡＰＲ、縦軸は送信信号波形のサンプルのうちＰＡＰＲが横軸の値以下となる確率を示す。「ｍｏｄｅ＝なし」は連続したＮａｌｌｏｃ（＝１６００）個のサブキャリアを用いて送信（シングルキャリア送信）する場合、「ｍｏｄｅ＝分割」はＣｌｕｓｔｅｒｅｄ  ＳＣ‐ＯＤＭＡで送信する場合、「ｍｏｄｅ＝ｐｕｎｃｔｕｒｅ」は第２の実施例で送信した場合をそれぞれ示す。【０１６４】
図２１に示すように、第２の実施例の送信方法におけるＰＡＰＲは、シングルキャリア送信とほとんど変わらない。また、第２の実施例の送信方法におけるＰＡＰＲは、Ｃｌｕｓｔｅｒｅｄ  ＳＣ‐ＯＤＭＡと比較して低くなっている。以上から、第２の実施例でのデータ送信は、ＰＡＰＲを向上させることができる。【０１６５】
＜その他の実施例＞
第２の実施例等において、系列長拡大部１０３は、データ系列ｂ０，ｂ１，…，ｂＮ−１を繰り返し配置させることで系列長を拡大した（例えば、図５（Ｃ）参照）。系列長拡大部１０３は、「０」を繰り返し配置させることでデータ系列ｂ０，ｂ１，…，ｂＮ−１を拡大させてもよい。
【図１】
2010116397.tif 000021
【図２】
2010116397.tif 000022
【図３】
2010116397.tif 000023
【図４】
2010116397.tif 000024
【図５】
2010116397.tif 000025
【図６】
2010116397.tif 000026
【図７】
2010116397.tif 000027
【図８】
2010116397.tif 000028
【図９】
2010116397.tif 000029
【図１０】
2010116397.tif 000030
【図１１】
2010116397.tif 000031
【図１２】
2010116397.tif 000032
【図１３】
2010116397.tif 000033
【図１４】
2010116397.tif 000034
【図１５】
2010116397.tif 000035
【図１６】
2010116397.tif 000036
【図１７】
2010116397.tif 000037
【図１８】
2010116397.tif 000038
【図１９】
2010116397.tif 000039
【図２０】
2010116397.tif 000040
【図２１】
2010116397.tif 000041
【図２２】
2010116397.tif 000042
【手続補正書】
【提出日】平成23年6月8日(2011.6.8)
【手続補正１】
【補正対象書類名】特許請求の範囲
【補正対象項目名】全文
【補正方法】変更
【補正の内容】
【特許請求の範囲】
【請求項１】
送信装置と受信装置との間で無線通信を行う無線通信システムにおいて、
前記送信装置は、
送信データの系列を繰り返すことで前記送信データの系列長を拡大する拡大部と、
拡大された前記送信データに含まれる各成分の位置関係を維持したまま、前記各成分を各サブキャリアに配置し、前記サブキャリアが送信に利用されないサブキャリアのとき、当該サブキャリアに配置する前記送信データの成分をパンクチャする第１のサブキャリア配置部と、
前記サブキャリアに配置された前記送信データを前記受信装置に送信する送信部とを備え、
前記受信装置は、
前記送信データを受信する受信部を備えることを特徴とする無線通信システム。
【請求項２】
前記送信装置は、さらに、繰り返し拡大して前記サブキャリアに配置された前記送信データの成分を、前記パンクチャされた送信データの成分に置換して前記サブキャリアに配置するサブキャリア置換部を備えることを特徴とする請求項１記載の無線通信システム。
【請求項３】
前記送信装置は、さらに、
第１の通信方式に基づいて前記送信データを前記サブキャリアに配置する第２のサブキャリア配置部と、
送信に利用される前記サブキャリアと送信に利用されない前記サブキャリアの夫々の数に基づいて、前記第１または第２のサブキャリア配置部からの出力を選択して出力する選択部とを備えることを特徴とする請求項１記載の無線通信システム。
【請求項４】
前記選択部は、送信に利用される前記サブキャリアと送信に利用されない前記サブキャリアの夫々の数の比と閾値とを比較結果に基づいて、前記第１または第２のサブキャリア配置部からの出力を選択して出力することを特徴とする請求項３記載の無線通信システム。
【請求項５】
送信装置と受信装置との間で無線通信を行う無線通信システムにおいて、
前記送信装置は、
前記送信装置に割り当てられたサブキャリア数と等しいサイズで、送信データを周波数領域の送信データに変換する変換部と、
前記周波数領域に変換された前記送信データに含まれる各成分の位置関係を維持したまま、前記各成分を各サブキャリアに配置し、前記サブキャリアが送信に利用されないサブキャリアのとき、当該サブキャリアに配置する前記送信データの成分をパンクチャする第１のサブキャリア配置部と、
前記サブキャリアに配置された前記送信データを時間領域の送信データに変換後、当該送信データを前記受信装置に送信する送信部とを備え、
前記受信装置は、
前記送信データを受信する受信部を備えることを特徴とする無線通信システム。
【請求項６】
受信装置との間で無線通信を行う送信装置において、
送信データの系列を繰り返すことで前記送信データの系列長を拡大する拡大部と、
拡大された前記送信データに含まれる各成分の位置関係を維持したまま、前記各成分を各サブキャリアに配置し、前記サブキャリアが送信に利用されないサブキャリアのとき、当該サブキャリアに配置する前記送信データの成分をパンクチャする第１のサブキャリア配置部と、
前記サブキャリアに配置された前記送信データを前記受信装置に送信する送信部と
を備えることを特徴とする送信装置。
【請求項７】
受信装置との間で無線通信を行う送信装置において、
前記送信装置に割り当てられたサブキャリア数と等しいサイズで、送信データを周波数領域の送信データに変換する変換部と、
前記周波数領域に変換された前記送信データに含まれる各成分の位置関係を維持したまま、前記各成分を各サブキャリアに配置し、前記サブキャリアが送信に利用されないサブキャリアのとき、当該サブキャリアに配置する前記送信データの成分をパンクチャする第１のサブキャリア配置部と、
前記サブキャリアに配置された前記送信データを時間領域の送信データに変換後、当該送信データを前記受信装置に送信する送信部と
を備えることを特徴とする送信装置。
【請求項８】
送信装置との間で無線通信を行う受信装置において、
送信データの系列を繰り返すことで前記送信データの系列長が拡大されて、拡大された前記送信データに含まれる各成分の位置関係が維持されたまま、前記各成分が各サブキャリアに配置され、前記サブキャリアが送信に利用されないサブキャリアのとき、当該サブキャリアに配置される前記送信データの成分がパンクチャされ、前記サブキャリアに配置された前記送信データを受信する受信部
を備えることを特徴とする受信装置。
【請求項９】
送信装置との間で無線通信を行う受信装置において、
前記送信装置に割り当てられたサブキャリア数と等しいサイズで、送信データが周波数領域の送信データに変換され、前記周波数領域に変換された前記送信データに含まれる各成分の位置関係を維持したまま、前記各成分が各サブキャリアに配置され、前記サブキャリアが送信に利用されないサブキャリアのとき、当該サブキャリアに配置された前記送信データの成分がパンクチャされて、前記サブキャリアに配置された前記送信データが時間領域の送信データに変換された後の当該送信データを受信する受信部
を備えることを特徴とする受信装置。
【請求項１０】
送信装置と受信装置との間で無線通信を行う無線通信システムにおける無線通信方法であって、
前記送信装置は、
送信データの系列を繰り返すことで前記送信データの系列長を拡大し、
拡大された前記送信データに含まれる各成分の位置関係を維持したまま、前記各成分を各サブキャリアに配置し、前記サブキャリアが送信に利用されないサブキャリアのとき、当該サブキャリアに配置する前記送信データの成分をパンクチャし、
前記サブキャリアに配置された前記送信データを前記受信装置に送信し、
前記受信装置は、
前記送信データを受信することを特徴とする無線通信方法。
【請求項１１】
送信装置と受信装置との間で無線通信を行う無線通信システムにおける無線通信方法であって、
前記送信装置は、
前記送信装置に割り当てられたサブキャリア数と等しいサイズで、送信データを周波数領域の送信データに変換し、
前記周波数領域に変換された前記送信データに含まれる各成分の位置関係を維持したまま、前記各成分を各サブキャリアに配置し、前記サブキャリアが送信に利用されないサブキャリアのとき、当該サブキャリアに配置する前記送信データの成分をパンクチャし、
前記サブキャリアに配置された前記送信データを時間領域の送信データに変換後、当該送信データを前記受信装置に送信し、
前記受信装置は、
前記送信データを受信することを特徴とする無線通信方法。
【国際調査報告】
2010116397.tif 000043
2010116397.tif 000044